(57)【特許請求の範囲】
【請求項１】
遅延噴射手段を有するエアゾル噴射器において、
エアゾル缶１の上部に、頂板２１の下面に刺突部２２を有する押しボタン兼用噴射ノズル体３０と、エアゾル缶の上面から突出するノズルステム６に嵌装された噴射ノズル補助体３０と、クエン酸水溶液等の有機酸又は無機酸又はそれぞれの水溶液を収納した袋７とを組み合わせて嵌め込み、
また噴射ノズル補助体３０には重曹等の炭酸水素塩又は炭酸塩を収納し、押しボタン兼用噴射ノズル体２０を押し下げたとき、上記の刺突部２２によって袋７を突き破り、クエン酸等の有機酸又は無機酸と重曹等の炭酸水素塩又は炭酸塩との化学反応によりＣＯ2 を押しボタン兼用噴射ノズル体２０と噴射ノズル補助体３０の間に発生させ、所定時間後にその圧力で噴射ノズル補助体３０をノズルステム６とともに下方に押し下げて噴射が開始されるように構成したことを特徴とする遅延噴射手段を有するエアゾル噴射器。
【請求項２】
遅延噴射手段を有するエアゾル噴射器において、
エアゾル缶１の上端の取り付けた肩カバー３に押しボタン兼用噴射ノズル体４０がねじこみ等により固定されており、
該噴射ノズル体４０に、中央に液通路４４、下端に刺突部４５を有する液通路筒４３を取り付け、
さらにエアゾル缶１の上端の缶上面４７に、封鎖部４８がその先端に有して取り付けられている封鎖体４６に、缶内のエアゾル原液５０中に浸入している吸上管５１の上端を挿嵌し、
封鎖体４６中にクエン酸水溶液等の有機酸又は無機酸又はそれぞれの水溶液を封入した袋７を介挿し、
缶内の原液５０中には重曹等の炭酸水素塩又は炭酸塩を予め混合又は溶解させておき、
噴射ノズル体４０を押し下げたとき、液通路筒４３の下端の刺突部４５が袋７を突き破り、吸上管５１中を落下したクエン酸等の有機酸又は無機酸が原液５０中の重曹等の炭酸水素塩又は炭酸塩と反応してＣＯ2 を発生し、そのＣＯ2 の圧力によりエアゾル原液を押し上げて、噴射ノズル体４０の押し下げから所定時間後に噴射を行うように構成されていることを特徴とする遅延噴射手段を有するエアゾル噴射器。
【発明の詳細な説明】
【０００１】
【発明の属する技術分野】
この発明は遅延噴射手段を有するエアゾル噴射器に関する。
【０００２】
【従来の技術】
害虫を駆除するための薬液の噴射などにエアゾル噴射器が通常用いられているが、エアゾル噴射器の使用に際しては押しボタンを押すと同時に薬液が噴射されてしまう。又連続して噴射するためには押しボタンの係止手段が必要である。
ところが例えば強い薬液を大量に連続して噴射したい場合、押しボタンをセットした後、薬液を吸い込んだり、又体に付着したりすれば有害であり、押しボタンのセット後すぐに退避しなければならないという不都合を免れなかった。
【０００３】
【課題を解決するための手段】
この発明は前記の欠点を解消するために、エアゾル容器の上部の噴射装置中にクエン酸水溶液等の有機酸又は無機酸又はそれぞれの水溶液を収納した袋を介挿し、又別に予め重曹等の炭酸水素塩又は炭酸塩を用意し、押しボタンを押し下げたとき、クエン酸水溶液の袋を突き破り、クエン酸等の有機酸又は無機酸と、重曹等の炭酸水素塩又は炭酸塩とを反応させてＣＯ2 を発生させ、その圧力で押しボタンを押し下げた時から所定時間後に噴射が開始されるような遅延噴射手段を有するエアゾル噴射器を得たものである。
【０００４】
【実施例】
図１、図２はこの発明の第１実施例の側断面図であって、図１のＸ−Ｘ線の左半分は使用前の状態、右半分は押しボタンを押し下げた状態を夫々示している。図において、１はエアゾル缶、２はマウント、３はマウント２に固定した肩カバー、５は缶から突き出しているノズルステム、２０は押しボタン兼用噴射ノズル体、２１はその頂板、２２は頂板下面に設けた刺突部、２３はノズル、２４は内部に液通路２５を有する中央脚体、２６は押し下げたとき肩カバー先端４と係合して噴射ノズル体２０を押し下げた位置に係止する係止部である。
３０は噴射ノズル体２０と組み合わされた噴射ノズル補助体、３１は中央筒体、３２は中央空所、３３は液通路、３４はノズルステム嵌装部であって、ノズルステム５に嵌装されている。６は作動中に噴射ノズル補助体３０が下降しないように挿入されているストッパである。そして図示の如く噴射ノズル体２０と噴射ノズル補助体３０との間にクエン酸水溶液等の有機酸又は無機酸又はそれぞれの水溶液を収納した袋７を介挿する。又噴射ノズル補助体３０の中央筒体３１の外側の空間に重曹等の炭酸水素塩又は炭酸塩８を入れておく。３８，３９は噴射ノズル体２０と噴射ノズル補助体３０の間に介在するＯリングである。
【０００５】
図１のＸ−Ｘ線の左半分に示される使用前の状態から頂板２１を指で押して押しボタン兼用噴射ノズル体２０を押し下げてＸ−Ｘ線の右半分の状態とする。そのとき、噴射ノズル補助体３０も下がらないようにストッパ６を入れておく。噴射ノズル体２０の押し下げにより、その頂板２１の下面の刺突部２２により袋７を突き破り、クエン酸等と重曹等とを混合させる。
図２のＹ−Ｙ線の左半分は、図１の右半分と同じ図であり、右半分はクエン酸等と重曹等の反応により発生したＣＯ2 の圧力によって噴射ノズル補助体３０を押し下げた状態を示している。噴射ノズル体２０を押し下げたところでストッパ６は抜いておく。図２の左半分（図１の右半分と同様の状態）の状態ではクエン酸等と重曹等との反応によりＣＯ2 ３５が発生し、その圧力で噴射ノズル補助体３０を押し下げ、それによってノズルステム５を押し下げエアゾル缶内の薬液を噴出させ、噴射ノズル補助体の下降によって形成された液通路３７、液通路２５を経てノズル２３から薬液を噴出させる。Ｓはスプレーを、３６は拡がったＣＯ2 を示している。このように押しボタン兼用噴射ノズル体２０を押し下げてからクエン酸等と重曹等の反応によりＣＯ2 を発生させ、その圧力により噴射ノズル補助体３０及びバルブステム５を押し下げて薬液を噴射させるまで所定の時間が経過するので、噴射遅延手段を有す噴射器となるものである。
【０００６】
図３以下は第２実施例を示し、図３は容器の全体図の断面図、図４は噴射機構部分を取り出して示した断面図であって、１はエアゾル容器、２はマウント、３はマウントに固定された肩カバー、４０は肩カバー３にねじこまれたボタン兼用噴射ノズル体、４１はノズル、４２はねじ込部、４３は噴射ノズル体に固定された液通路筒、４４は液通路筒の適当な位置にあけられた横方向の小孔、４５は液通路筒の下方先端の刺突部、４６は缶上面４７に取り付けられた封鎖体、４８は封鎖体４６の上端にあって上記の小孔４４を封鎖している封鎖部、５０は缶１内にある噴射原液、５１は原液５０中にある吸上管、５２は吸上管の下端の開口であって、吸上管５１は図示の如く封鎖体４６の下端部に嵌め込まれている。
【０００７】
７は封鎖体４６の内部に介装されているクエン酸水溶液等の有機酸又は無機酸又はそれぞれの水溶液を封入した袋、８は原液５０中に予め混合又は溶解されている重曹等の炭酸水素塩又は炭酸塩である。
図５はボタン兼用噴射ノズル体４０をねじ込んで下方に下げた状態を示す。液通路筒４３の下方先端の刺突部４５は下降してクエン酸水溶液を封入した袋７を突き破り、内部のクエン酸水溶液等は吸上管５１を通って原液５０中に入り、その中にある重曹等８と反応してＣＯ2 を発生する。図６は原液中にＣＯ2 ３５が発生している状態を示している。ＣＯ2 は上昇して缶１内の空間９に入り、その空間内のＣＯ2 ３６は原液５０を圧し、原液は吸上管５１中を上昇する。図５に示すように、噴射ノズル体４０をねじ込むとそれに固定された液通路筒４３も下降し、小孔４４は封鎖部４８よりも下方に下がり、小孔４４は開放される。それで吸上管５１を上昇した薬液は小孔４４から液通路筒４３の内部を通ってノズル４１から噴射される。図６でＳはスプレーを示している。
【０００８】
図７、図８は、図６の噴射状態から噴射を停止した時の状態を示すもので、噴射を停止したいときは、ボタン兼用噴射ノズル体４０をねじ戻して上昇させれば、封鎖部４８と小孔４４とは再び合致し、液通路を遮断し噴射を停止する。ＣＯ2 は上部空間９にあって原液５０を押しているので、噴射ノズル体４０を再びねじ込めば噴射を再開することができる。
図９、図１０は、図３以下に示す実施例の別の実施態様を示すものである。図３以下に示した実施例のものでは、ＣＯ2 による圧力が少しかかった時から微量の噴射が始まるという不具合があったので、図９、図１０ではそれを改良して一定の圧力に達するまで噴射が始まらないようにしたものである。即ち、図９に示すようにボタン兼用噴射ノズル体４０の内部において、バネ６０で封鎖片６１を押さえるようにしてある。そうすれば、バネ６０の選択により、所定の圧力で封鎖片を押さえているので、ＣＯ2 の圧力がその所定圧力以上になったときバネ６０に抗して封鎖片６１を押し上げて噴射が始まるので最初から充分な噴射を確保することができる。
【０００９】
【発明の効果】
この出願の発明は前記のような構成であって、押ボタン兼用噴射ノズル体を押し下げた後、クエン酸等と重曹等との反応で生ずるＣＯ2 の圧力により所定時間後に遅延して噴射が始まるので、大量の薬液を連続して噴射したいときも、噴射状態にセット後、充分に退避する時間があるので、薬液を吸い込んだり、体に付着したりする危険を除くことができる。
【図面の簡単な説明】
【図１】この発明の第１実施例の要部断面図。
【図２】同じく作動中の状態を示す断面図。
【図３】第２実施例の全体断面図。
【図４】同じく要部断面図。
【図５】噴射中を示す要部断面図。
【図６】同じく全体断面図。
【図７】噴射を停止した状態を示す全体断面図。
【図８】同じく要部断面図。
【図９】図５とは別の実施態様の要部断面図。
【図１０】同じく全体断面図。
【符号の説明】
１    エアゾル缶
２    マウント
３    肩カバー
４    先端
５    ノズルステム
６    ストッパ
７    クエン酸水溶液等の袋
８    重曹等
９    上部空間
２０    押しボタン兼用噴射ノズル体
２１    頂板
２２    刺突部
２３    ノズル
２４    中央脚体
２５    液通路
２６    係止部
３０    噴射ノズル補助体
３１    中央筒体
３２    中央空所
３３    液通路
３４    ノズルステム嵌装部
３５    ＣＯ2 
４０    ボタン兼用噴射ノズル体
４１    ノズル
４２    ねじ込部
４３    液通路筒
４４    小孔
４５    先端刺突部
４６    封鎖体
４７    缶上面
４８    先端封鎖部
５０    原液
５１    吸上管
５２    管入口
【図１】
0003694098.tif 000002
【図２】
0003694098.tif 000003
【図３】
0003694098.tif 000004
【図４】
0003694098.tif 000005
【図５】
0003694098.tif 000006
【図６】
0003694098.tif 000007
【図７】
0003694098.tif 000008
【図８】
0003694098.tif 000009
【図９】
0003694098.tif 000010
【図１０】
0003694098.tif 000011